(57)【要約】【課題】フィルタに流入する排気ガスの酸素濃度を低下させてフィルタの過剰昇温を防止する制御の実行中においても、機関回転数を制御することができる内燃機関の制御装置を提供する。【解決手段】  アイドル運転中に、少なくとも吸気絞り弁の開度を小さくすることによりフィルタに流入する排気ガスの酸素濃度を低下させ、フィルタの過剰昇温を抑制するフィルタ過剰昇温抑制制御を実行する内燃機関の制御装置において、フィルタ過剰昇温抑制制御実行中の機関回転数を吸気絞り弁の開度を調整することにより制御する。気筒内の酸素が不足して気筒内に噴射する燃料を増量させても機関回転数は高くならないが、吸気絞り弁の開度を大きくすることにより機関回転数を高くすることができる。【選択図】  図２
2005146872.tif 000002
【特許請求の範囲】
【請求項１】
吸気通路に配置され気筒内に吸入される空気の量を調整する吸気絞り弁と、
排気通路に配置され排気ガス中に含まれる微粒子を捕集するパティキュレートフィルタと、を有し、
アイドル運転中に、少なくとも前記吸気絞り弁の開度を小さくすることにより前記パティキュレートフィルタに流入する排気ガスの酸素濃度を低下させ、当該パティキュレートフィルタの過剰昇温を抑制するフィルタ過剰昇温抑制制御を実行する内燃機関の制御装置において、
前記フィルタ過剰昇温抑制制御実行中の機関回転数を前記吸気絞り弁の開度を調整することにより制御することを特徴とする内燃機関の制御装置。
【請求項２】
前記吸気絞り弁の開度を調整することにより前記フィルタ過剰昇温抑制制御実行中の機関回転数を制御するのに伴い、前記パティキュレートフィルタに流入する排気ガスの酸素濃度が目標の酸素濃度とずれた場合は、前記排気ガスの酸素濃度を目標の酸素濃度にすべく気筒内に噴射する燃料量を調整することを特徴とする請求項１に記載の内燃機関の制御装置。
【発明の詳細な説明】
【技術分野】
【０００１】
本発明は、排気通路にパティキュレートフィルタを備え、フィルタ過剰昇温抑制制御を実行する内燃機関の制御装置に関し、特にフィルタ過剰昇温抑制制御実行中の機関回転数を制御するものに関する。
【背景技術】
【０００２】
近年、ディーゼル機関等の内燃機関にて駆動される自動車等から大気中へ排出される煤等の微粒子（ＰＭ：Particulate Matter）を低減することが望まれているため、内燃機関の排気通路にパティキュレートフィルタ（以下、「フィルタ」という場合もある。）を配置し、内燃機関から排出されるＰＭをフィルタにより捕集する技術が知られている。
【０００３】
しかし、このフィルタにＰＭが過度に捕集されると、フィルタが目詰まりして排気抵抗の増加を生じさせ、内燃機関の出力低下を生じさせてしまうため、フィルタに捕集されているＰＭを当該フィルタから酸化除去させる、ＰＭ酸化除去処理を適宜実行する必要がある。
【０００４】
ただし、このＰＭ酸化除去処理を実行している際の内燃機関の運転状態がアイドル運転状態である場合、フィルタにおける酸素がＰＭの酸化除去に対して供給過剰であり且つ排気ガス流量が少量であることから、フィルタ内に捕集されたＰＭが自己着火してフィルタが過剰に昇温し、フィルタが溶損してしまうおそれがある。
【０００５】
また、フィルタを備えた内燃機関により駆動される自動車等が高速／高負荷運転状態からアイドル運転状態に変化した場合、フィルタにおける酸素がＰＭの酸化除去に対して不足しており且つ排気ガスの流量が多量であった状態から、フィルタにおける酸素がＰＭの酸化除去に対して供給過剰であり且つ排気ガス流量が少量である状態に変化することから、同様にフィルタが過剰に昇温し、フィルタが溶損してしまうおそれがある。これは、フィルタにおいて酸素が一気に消費されてフィルタ内で激しい酸化作用が行われることに起因するものと考えられる。また、それまで大量の排気ガス流によって持ち去られていたフィルタ内の熱が、排気ガス流量が急激に減少することによりフィルタ内から充分に持ち去られない状況になることも一因になっているとも考えられる。
【０００６】
これに対して特許文献１には、高速／高負荷運転状態からアイドル運転状態に変化する場合等、フィルタの温度が過剰に上昇しそうなときに、気筒内に吸入される空気を減少させる等して、フィルタに流入する排気ガスの酸素濃度を低下させて、フィルタの過剰昇温を防止する技術が提案されている。
【特許文献１】特開２００３−１７２１２４号公報
【特許文献２】特開平１１−２００９２８号公報
【特許文献３】特開２００３−２７９９０号公報
【発明の開示】
【発明が解決しようとする課題】
【０００７】
しかしながら、特許文献１に記載の技術を用いてフィルタの過剰昇温を防止している際には、ディーゼル機関で通常行われているように燃料噴射量を調節するだけでは内燃機関の回転数を制御することができない。これは、このような条件では気筒内に吸入される空気を減少しているため、燃料噴射量を増量しても、その燃料が燃焼するのに十分な酸素が存在せず、気筒内で燃焼しないからである。
【０００８】
本発明は、上記した問題点に鑑みてなされたものであり、その目的とするところは、フィルタに流入する排気ガスの酸素濃度を低下させてフィルタの過剰昇温を防止する制御の実行中においても、機関回転数を制御することができる内燃機関の制御装置を提供することにある。
【課題を解決するための手段】
【０００９】
本発明に係る内燃機関の制御装置は、上記した課題を解決するために以下のような手段を採用した。すなわち、吸気通路に配置され気筒内に吸入される空気の量を調整する吸気絞り弁と、排気通路に配置され排気ガス中に含まれる微粒子を捕集するパティキュレートフィルタと、を有し、アイドル運転中に、少なくとも前記吸気絞り弁の開度を小さくすることにより前記パティキュレートフィルタに流入する排気ガスの酸素濃度を低下させ、当該パティキュレートフィルタの過剰昇温を抑制するフィルタ過剰昇温抑制制御を実行する内燃機関の制御装置において、前記フィルタ過剰昇温抑制制御実行中の機関回転数を前記吸気絞り弁の開度を調整することにより制御することを特徴とする。
【００１０】
ここで、パティキュレートフィルタとしては、パティキュレートフィルタに酸化触媒、吸蔵還元型ＮＯｘ触媒、三元触媒などが担持されたものを例示することができる。
【００１１】
そして、このようなフィルタを備えた内燃機関により駆動される自動車等が高速／高負荷運転状態からアイドル運転状態に変化した場合、あるいはフィルタの温度を高めて当該フィルタに捕集されたＰＭを酸化除去するＰＭ再生を実行している最中の内燃機関の運転状態がアイドル運転状態である場合、フィルタが過剰に昇温するおそれがある。
【００１２】
そこで、本発明に係る内燃機関の制御装置は、フィルタの温度が高温であっても排気ガスの酸素濃度が低い場合はＰＭが酸化されずにフィルタの温度が上昇しないことに着目し、アイドル運転中に吸気通路に配置された吸気絞り弁の開度を小さくしてフィルタに流入する排気ガスの酸素濃度を低下させるフィルタ過剰昇温抑制制御を実行する。
【００１３】
なお、このフィルタ過剰昇温抑制制御は、吸気絞り弁の開度を小さくするのとともに、（１）排気通路に配置された排気絞り弁の開度を小さくする、（２）ＥＧＲ率を大きくさせる、（３）メイン燃料噴射に先立って副次的に燃料を噴射するパイロット噴射による燃料噴射量を増量させる、（４）排気行程中に副次的に燃料を噴射するポスト噴射による燃料噴射量を増量させる、（５）メイン燃料噴射のタイミングを遅角させる等の手段を組み合わせて実行するものであることが好適である。このようにすれば、さらに効果的にフィルタに流入する排気ガスの酸素濃度を低下させることができる。
【００１４】
通常、アイドル運転中の機関回転数制御はメイン燃料噴射量を増減させることにより行うが、上述したように少なくとも吸気絞り弁の開度を小さくして行うフィルタ過剰昇温抑制制御中においては、メイン燃料噴射量を増量させてもその燃料を燃焼させるための十分な酸素が気筒内に吸入されないことから機関回転数が高くならない。
【００１５】
そこで、本発明に係る内燃機関の制御装置は、上述したフィルタ過剰昇温抑制制御実行中の機関回転数を吸気絞り弁の開度を調整することにより制御する。つまり、実際の機関回転数が目標の回転数より低い場合は、吸気絞り弁の開度を大きくして気筒内に吸入される酸素の量を増量させ、実際の機関回転数が目標の回転数より高い場合は、吸気絞り弁の開度を小さくして気筒内に吸入される酸素の量を減量させて機関回転数を制御する。このようにすれば、フィルタ過剰昇温抑制制御実行中であっても機関回転数を制御することができる。
【００１６】
ただし、吸気絞り弁の開度を変更すると、フィルタに流入する排気ガスの酸素濃度が目
標の酸素濃度とずれるおそれがある。そこで、前記吸気絞り弁の開度を調整することにより前記フィルタ過剰昇温抑制制御実行中の機関回転数を制御するのに伴い、前記パティキュレートフィルタに流入する排気ガスの酸素濃度が目標の酸素濃度とずれた場合は、前記排気ガスの酸素濃度を目標の酸素濃度にすべく気筒内に噴射する燃料量を調整することが好適である。
【００１７】
ここで、気筒内に噴射する燃料量の調整は、メイン噴射による噴射燃料量を調整することを例示することができるが、その他、上述した（３）のパイロット噴射あるいは（４）のポスト噴射をも組み合わせてフィルタ過剰昇温抑制制御を実行している場合には、パイロット噴射による噴射燃料量あるいはポスト噴射による噴射燃料量を調整してもよい。
【００１８】
そして、例えば、フィルタ過剰昇温抑制制御実行中の機関回転数を吸気絞り弁の開度を大きくして制御するのに伴い、パティキュレートフィルタに流入する排気ガスの酸素濃度が目標の酸素濃度より高くなる場合は、排気ガスの酸素濃度を目標の酸素濃度にすべく気筒内に噴射する燃料量を増量する。このようにすれば、フィルタ過剰昇温抑制制御実行中においても、フィルタに流入する排気ガスの酸素濃度を目標の酸素濃度にできるとともに、機関回転数を制御することができる。
【発明の効果】
【００１９】
以上説明したように、本発明に係る内燃機関の制御装置によれば、フィルタに流入する排気ガスの酸素濃度を低下させてフィルタの過剰昇温を防止する制御の実行中においても、機関回転数を制御することができる。
【発明を実施するための最良の形態】
【００２０】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２１】
図１は、本発明の実施の形態に係る制御装置を適用する内燃機関とその吸排気系の概略構成を示す図である。
【００２２】
図１に示す内燃機関１は、４つの気筒２を有する水冷式の４サイクル・ディーゼル機関であり、各気筒２の燃焼室に直接燃料を噴射する燃料噴射弁３を備えている。各燃料噴射弁３は、蓄圧室（コモンレール）４と接続され、このコモンレール４は燃料供給管５を介して燃料ポンプ６と連通している。
【００２３】
前記内燃機関１には、吸気通路７が接続されており、この吸気通路７はエアクリーナボックス８に接続されている。前記エアクリーナボックス８より下流の吸気通路７には、該吸気通路７内を流通する吸気の質量に対応した電気信号を出力するエアフローメータ９が取り付けられている。
【００２４】
吸気通路７における前記エアフローメータ９より下流の部位には、過給器（ターボチャージャー）１０のコンプレッサハウジング１０ａが設けられている。このコンプレッサハウジング１０ａより下流の吸気通路７には、インタークーラ１１が取り付けられている。更にインタークーラ１１より下流の吸気通路７には、この吸気通路７内を流通する吸気の流量を調整する吸気絞り弁１２が設けられ、この吸気絞り弁１２には、吸気絞り用アクチュエータ１３が取り付けられている。
【００２５】
また、前記内燃機関１には、排気通路１４が接続され、この排気通路１４は、下流にて
マフラー（図示省略）と接続されている。排気通路１４の途中には、過給機１０のタービンハウジング１０ｂが配置されている。排気通路１４におけるタービンハウジング１０ｂより下流の部位には、排気ガス中の有害ガス成分を浄化するための排気浄化装置１５が配置されている。
【００２６】
この排気浄化装置１５は、パティキュレートフィルタに酸化触媒、吸蔵還元型ＮＯｘ触媒、三元触媒などが担持されたものを例示することができる（以下、「フィルタ１５」という）。
【００２７】
フィルタ１５より下流の排気通路１４には、この排気通路１４内を流通する排気の空燃比に対応した電気信号を出力する空燃比センサ１６と、前記排気通路１４内を流通する排気の温度に対応した電気信号を出力する排気温度センサ１７とが取り付けられている。
【００２８】
また、フィルタ１５より下流の排気通路１４には、この排気通路１４内を流通する排気ガスの流量を調整する排気絞り弁１８が設けられ、この排気絞り弁１８には、排気絞り用アクチュエータ１９が取り付けられている。
【００２９】
また、前記吸気通路７における吸気絞り弁１２より下流の部位と、前記排気通路１４におけるタービンハウジング１０ｂより上流の部位とは、排気ガス再循環通路（ＥＧＲ通路）２０を介して連通されている。このＥＧＲ通路２０の途中には、ＥＧＲガスの流量を調整するＥＧＲ弁２１が設けられている。
【００３０】
また、内燃機関１にはクランク軸の回転位相を検出するクランクポジションセンサ２２が設けられている。このクランクポジションセンサ２２の出力信号は、後述するＥＣＵ２３に入力され、ＥＣＵ２３は、一定時間毎にクランク軸の回転数（以下、「機関回転数」という。）を算出するとともに、クランク軸の回転角度を算出する。
【００３１】
以上述べたように構成された内燃機関１には、この内燃機関１を制御するための電子制御ユニット（ＥＣＵ：Electronic Control Unit）２３が併設されている。このＥＣＵ２３は、ＣＰＵ、ＲＯＭ、ＲＡＭ、バックアップＲＡＭなどからなる算術論理演算回路である。
【００３２】
ＥＣＵ２３には、前述したエアフローメータ９、空燃比センサ１６、排気温度センサ１７、クランクポジションセンサ２２に加え、内燃機関１に取り付けられた水温センサ（図示省略）や、内燃機関１を搭載した車両の室内に取り付けられたアクセル開度センサ（図示省略）等の各種センサが電気配線を介して接続され、上記した各種センサの出力信号がＥＣＵ２３に入力されるようになっている。
【００３３】
一方、ＥＣＵ２３には、燃料噴射弁３、吸気絞り用アクチュエータ１３、排気絞り用アクチュエータ１９、ＥＧＲ弁２１等が電気配線を介して接続され、ＥＣＵ２３が燃料噴射弁３、吸気絞り用アクチュエータ１３、排気絞り用アクチュエータ１９、ＥＧＲ弁２１等を制御することが可能になっている。
【００３４】
例えば、ＥＣＵ２３は、一定時間毎に実行すべき基本ルーチンにおいて、各種センサの出力信号の入力、機関回転数の演算、燃料噴射量の演算、燃料噴射時期の演算などを実行する。基本ルーチンにおいてＥＣＵ２３が入力した各種信号やＥＣＵ２３が演算して得られた各種制御値は、ＥＣＵ２３のＲＡＭに一時的に記憶される。
【００３５】
更に、ＥＣＵ２３は、各種のセンサやスイッチからの信号の入力、一定時間の経過、あるいはクランクポジションセンサからのパルス信号の入力などをトリガとした割り込み処
理において、ＲＡＭから各種制御値を読み出し、それら制御値に従って燃料噴射弁３等を制御する。
【００３６】
具体的には、メイン燃料噴射量制御が実行されると、機関回転数、アクセル開度等がＥＣＵ２３のＲＡＭ内に設けられた作業領域に読み込まれ、マップに基づいて、機関回転数及びアクセル開度からメイン燃料噴射量が算出される。その後、メイン燃料噴射量及びコモンレール４内の燃圧に基づいて、燃料噴射タイミングに該当する気筒に設けられた燃料噴射弁３における開弁時間が制御される。そして、メイン燃料噴射量に相当する燃料量が該当する気筒の燃焼室内に噴射されて燃焼される。
【００３７】
また、ＥＣＵ２３は、クランクポジションセンサ２２に基づく割り込み処理、或は一定時間毎の割り込み処理として、定期的に、フィルタ１５に捕集されているＰＭを除去すべくＰＭ酸化除去処理制御を実行する。
【００３８】
このＰＭ酸化除去処理制御では、ＥＣＵ２３は、フィルタ１５の酸化除去処理実行条件（以下、「ＰＭ酸化除去処理実行条件」と記す。）が成立したときに、ＰＭ酸化除去処理を実行する。
【００３９】
ＰＭ酸化除去処理実行条件としては、フィルタ１５に捕集されているＰＭ量が、所定量以上であるという条件を例示することができる。この所定量は、ＰＭがフィルタ１５に捕集されることによりフィルタ１５が目詰まりを起こし、この目詰まりが排気抵抗の増加を生じさせ、エンジンの出力低下を生じさせてしまう量よりも少ない値であることを例示することができる。
【００４０】
また、フィルタ１５に捕集されているＰＭ量が所定量以上であるか否かを判定する方法としては、フィルタ１５の前後差圧（フィルタ１５より上流の排気圧力とフィルタ１５より下流の排気圧力との圧力差）が所定圧以上であるときにフィルタ１５に捕集されているＰＭ量が所定量以上であると判定する方法、あるいは、前回のＰＭ酸化除去処理実行終了時からの燃料噴射量の積算値が所定量以上であるときにフィルタ１５に捕集されているＰＭ量が所定量以上であると判定する方法、等を例示することができる。
【００４１】
そして、上記したような方法によりＰＭ酸化除去処理実行条件が成立としていると判定された場合には、ＥＣＵ２３は、フィルタ１５の温度を５００℃〜７００℃程度の高温域まで上昇させるための昇温処理を実行するとともに、フィルタ１５へ流入する排気ガスを酸素過剰な雰囲気とするための空燃比処理を行う、ＰＭ酸化除去処理を実行する。
【００４２】
昇温処理の実行方法としては、例えば、（１）排気ガス温度を上昇させて排気ガスの熱をフィルタ１５へ伝達させる方法と、（２）フィルタ１５において未燃燃料を酸化させ、その際に発生する反応熱によりフィルタ１５自体を昇温させる方法とを例示することができる。
【００４３】
上記した（１）の具体的な方法としては、内燃機関１における混合気の燃焼時期を遅角させる方法、内燃機関１の膨張行程時に、気筒２の燃料噴射弁３から副次的に燃料を噴射（副噴射）させて燃焼期間を長引かせる方法、等を例示することができる。
【００４４】
上記した（２）の具体的な方法としては、内燃機関１の排気行程時に気筒２の燃料噴射弁３から副次的に噴射させるポスト噴射を実行すること、メイン燃料噴射に先立って副次的に噴射させるパイロット噴射を実行すること等を例示することができる。
【００４５】
空燃比処理は、前述した昇温処理の実行方法として、燃料噴射弁３から副次的に噴射さ
せる方法が採用された場合に、空燃比センサ１６の出力信号値がリーン空燃比に相当する値となるように（排気ガスの酸素濃度が高くなるように）、燃料噴射弁３から副次的に噴射される燃料量を調整する制御である。
【００４６】
そして、このようなＰＭ酸化除去処理が実行されると、フィルタ１５に捕集されているＰＭが酸化され、フィルタ１５からＰＭが除去されることになる。
【００４７】
ところが、このＰＭ酸化除去処理を実行している際の内燃機関の運転状態がアイドル運転状態である場合、フィルタにおける酸素がＰＭの酸化除去に対して供給過剰であり且つ排気ガス流量が少量であることから、フィルタ内に捕集されたＰＭが自己着火してフィルタが過剰に昇温し、フィルタが溶損してしまうおそれがある。
【００４８】
また、フィルタを備えた内燃機関により駆動される自動車等が高速／高負荷運転状態からアイドル運転状態に変化した場合、フィルタにおける酸素がＰＭの酸化除去に対して不足しており且つ排気ガスの流量が多量であった状態から、フィルタにおける酸素がＰＭの酸化除去に対して供給過剰であり且つ排気ガス流量が少量である状態に変化することから、同様にフィルタが過剰に昇温し、フィルタが溶損してしまうおそれがある。これは、フィルタにおいて酸素が一気に消費されてフィルタ内で激しい酸化作用が行われることに起因するものと考えられる。また、それまで大量の排気ガス流によって持ち去られていたフィルタ内の熱が、排気ガス流量が急激に減少することによりフィルタ内から充分に持ち去られない状況になることも一因になっているとも考えられる。
【００４９】
そこで、本実施の形態におけるＥＣＵ２３は、フィルタ１５の温度が高温であっても排気ガスの酸素濃度が低い場合はＰＭが酸化されずにフィルタ１５の温度が上昇しないことに着目し、ＰＭ酸化除去処理を実行している際の運転状態がアイドル運転状態であるか否か、あるいはこのフィルタ１５を備えた内燃機関により駆動される自動車等が高速／高負荷運転状態からアイドル運転状態に変化したか否かの判定をし、肯定判定された場合には、フィルタ１５に流入する排気ガスの酸素濃度を低下させるフィルタ過剰昇温抑制制御を実行する。なお、内燃機関の運転状態は、上述したクランクポジションセンサ２２、アクセル開度センサ等の検出値と予め実験等により作成されたマップとに基づいて把握される。
【００５０】
具体的に、このフィルタ過剰昇温抑制制御は、フィルタに流入する排気ガスの酸素濃度を低下させるために吸気通路に配置された吸気絞り弁１２の開度を小さくするように吸気絞り弁１２の開度を調整するものである。吸気絞り弁１２の開度が小さくなると、気筒内に吸入される空気の量が減少するので酸素量も減少し、排気ガスの酸素濃度が低下させられる。
【００５１】
また、このフィルタ過剰昇温抑制制御は、吸気絞り弁１２の開度を小さくするのとともに、（１）排気通路に配置された排気絞り弁１８の開度を小さくする、（２）ＥＧＲ弁２１の開度を大きくしてＥＧＲ率を大きくさせる、（３）メイン燃料噴射に先立って副次的に燃料を噴射するパイロット噴射による燃料噴射量を増量させる、（４）排気行程中に副次的に燃料を噴射するポスト噴射による燃料噴射量を増量させる、（５）メイン燃料噴射のタイミングを遅角させる等の手段を組み合わせて実行してもよい。
【００５２】
（１）においては、排気ガス量が減少するので、気筒内の吸気量が減少させられ、吸気絞り弁１２の開度を小さくするのと同様に排気ガスの酸素濃度が低下させられる。（２）ＥＧＲ率が大きくなると、気筒内に吸入される新気が減少するので酸素量も減少し、吸気絞り弁１２の開度を小さくするのと同様に排気ガスの酸素濃度が低下させられる。（３）によれば、気筒内で不完全燃焼となり多くの未燃ＨＣが排気通路に排出される。そして、
このＨＣがフィルタ１５に担持された触媒で排気ガス中の酸素と反応することで排気ガスの酸素濃度を低下させることができる。（４）によれば、気筒内から排気通路へ排出される未燃ＨＣが増加するので、（３）と同様に排気ガスの酸素濃度が低下させられる。（５）によれば、気筒内で不完全燃焼となり多くの未燃ＨＣが排気通路に排出されるので、（３）と同様に排気ガスの酸素濃度を低下させることができる
【００５３】
ところで、本実施の形態に係る内燃機関であるディーゼル機関においては、通常、メイン燃料噴射量で機関回転数を制御するので、上述したフィルタ過剰昇温抑制制御を実行している際には、メイン燃料噴射量を調整して機関回転数を制御することができない。これは、フィルタ過剰昇温抑制制御実行中には気筒内に吸入される空気を減少しているため、燃料噴射量を増量しても、その燃料が燃焼するのに十分な酸素が存在せず、気筒内で燃焼しないからである。
【００５４】
そこで、本実施の形態においては、フィルタ過剰昇温抑制制御を実行している際に、機関回転数を制御するにあたっては、吸気絞り弁１２の開度を調整するようにする。つまり、機関回転数が目標回転数より低い場合は吸気絞り弁１２の開度を大きくして気筒内に吸入される酸素の量を増大させるようにし、他方、機関回転数が目標回転数より高い場合は吸気絞り弁１２の開度を小さくして気筒内に吸入される酸素の量を減少させるようにする。
【００５５】
但し、フィルタ過剰昇温抑制制御を実行している際に、気筒内に吸入される酸素の量を増大させると、供給燃料に対する酸素の割合が高くなる。その結果、フィルタ過剰昇温抑制制御を実行しているにもかかわらず排気ガスの酸素濃度が高くなり（排気空燃比が大きくなり）、フィルタを過剰昇温させてしまうおそれがある。一方、フィルタ過剰昇温抑制制御を実行している際に、気筒内に吸入される酸素の量を減少させると気筒内での燃焼がさらに不完全燃焼になり、気筒内から排出される未燃ＨＣの量が増大する（排気空燃比が小さくなる）。その結果、必要以上に未燃ＨＣが増大することにより燃費が悪化するおそれがある。
【００５６】
そこで、本実施の形態においては、フィルタ１５に流入する排気ガスの酸素濃度（実排気空燃比）が目標の酸素濃度（目標排気空燃比）とずれた場合には、気筒内に噴射する燃料量を調整してかかる弊害を是正する。つまり、実際の排気ガスの酸素濃度（実排気空燃比）が目標の酸素濃度（目標排気空燃比）より高い場合は燃料量を増量するようにし、他方、実際の排気ガスの酸素濃度（実排気空燃比）が目標の酸素濃度（目標排気空燃比）より低い場合は燃料量を減量するようにする。
【００５７】
なお、気筒内に噴射する燃料量の調整は、メイン噴射による噴射燃料量を調整することを例示することができるが、その他、上述した（３）のパイロット噴射あるいは（４）のポスト噴射をも組み合わせてフィルタ過剰昇温抑制制御を実行している場合には、パイロット噴射による噴射燃料量あるいはポスト噴射による噴射燃料量を調整してもよい。
【００５８】
以下、本実施の形態に係るフィルタ過剰昇温抑制制御実行中の機関回転数、排気ガスの酸素濃度制御について、図２のフローチャート図に沿って説明する。
【００５９】
この制御ルーチンは、予めＥＣＵ２３のＲＯＭに記憶されているルーチンであり、一定時間の経過、あるいはクランクポジションセンサからのパルス信号の入力などをトリガとした割り込み処理としてＥＣＵ２３が実行するルーチンである。
【００６０】
本制御ルーチンでは、ＥＣＵ２３は、先ず、ステップ（以下、単に「Ｓ」という場合もある。）１０１において上述したフィルタ過剰昇温抑制制御実行中であるか否かを判定す
る。そして、肯定判定された場合は、Ｓ１０２へ進み、否定判定された場合は本ルーチンの実行を終了する。
【００６１】
Ｓ１０２においては、実機関回転数が目標の回転数であるか否かを判定する。これは、クランクポジションセンサの検出値を基に算出した機関回転数が、目標のアイドル回転数であるか否かを判定するものである。そして、否定判定された場合は、Ｓ１０３へ進み、肯定判定された場合はＳ１０４へ進む。
【００６２】
Ｓ１０３においては、実機関回転数が目標回転数ではないと判定されているので、機関回転数を目標回転数に合わせるべく吸気絞り弁１２の開度を調整する。つまり、機関回転数が目標回転数より低い場合は吸気絞り弁１２の開度を大きくし、他方、機関回転数が目標回転数より高い場合は吸気絞り弁１２の開度を小さくするように調整する。
【００６３】
その後、Ｓ１０４へ進み、本ステップにおいては、実際の排気ガスの酸素濃度（実排気空燃比）が目標の酸素濃度（目標排気空燃比）であるか否かを判定する。これは、空燃比センサの検出値を基に算出した実際の排気ガスの酸素濃度（実排気空燃比）が、フィルタ過剰昇温抑制制御中の酸素濃度（排気空燃比）として予め実験等により定められた値と同じであるか否かを判定するものである。そして、否定判定された場合は、Ｓ１０５へ進み、肯定判定された場合は本ルーチンの実行を終了する。
【００６４】
Ｓ１０５においては、実際の排気ガスの酸素濃度（実排気空燃比）が目標の酸素濃度（目標排気空燃比）ではないと判定されているので、実酸素濃度（実排気空燃比）を目標の酸素濃度（目標排気空燃比）に合わせるべく気筒内に噴射する燃料量を調整する。
【００６５】
これにより、フィルタに流入する排気ガスの酸素濃度を低下させてフィルタの過剰昇温を抑制する制御を実行している場合においても、排気ガスの酸素濃度を制御することができるとともに、機関回転数をも制御することができる。
【図面の簡単な説明】
【００６６】
【図１】本発明の実施の形態に係る内燃機関及びその吸排気系の概略構成を示す図である。
【図２】フィルタ過剰昇温抑制制御実行中の機関回転数、排気ガスの酸素濃度制御の制御ルーチンを示すフローチャート図である。
【符号の説明】
【００６７】
１  内燃機関
２  気筒
３  燃料噴射弁
４  コモンレール
５  燃料供給管
６  燃料ポンプ
７  吸気通路
８  エアクリーナ
９  エアフローメータ
１０  過給機
１１  インタークーラ
１２  吸気絞り弁
１３  吸気絞り用アクチュエータ
１４  排気通路
１５  排気浄化装置（フィルタ）
１６  空燃比センサ
１７  排気温度センサ
１８  排気絞り弁
１９  排気絞り用アクチュエータ
２０  ＥＧＲ通路
２１  ＥＧＲ弁
２２  クランクポジションセンサ
２３  ＥＣＵ
【図１】
2005146872.tif 000003
【図２】
2005146872.tif 000004